(57)【要約】【課題】化粧格子を、容易かつ適切に構成できるようにする。【解決手段】複数の縦桟１、１…と横桟構成体２’とを備えてなる化粧格子Ｌである。化粧格子Ｌの外縁を構成する左右の端縦桟１’、１’間にある中間縦桟１”には、横桟構成体２’を構成する棒状部材２０の通し孔１６が形成されている。横桟構成体２’は、前記棒状部材２０と、間隔形成部材２１とから構成されていると共に、この間隔形成部材２１には棒状部材２０における隣り合う縦桟１、１間に位置される箇所を納める凹部２１１が形成されている。棒状部材２０は、棒材２０１と、ナット体２０２ａを備えた雌具２０２とボルト体２０３ａを備えた雄具２０３とからなる締め込み具とを有しており、この締め込み具により左右の端縦桟１’、１’の少なくとも一方と棒材２０１とを、この左右の端縦桟１’、１’間の距離可変にネジ止めさせてなる。【選択図】図４
2010242455.tif 000002
【特許請求の範囲】
【請求項１】
複数の縦桟と、
一以上の横桟構成体とを備えてなる化粧格子であって、
化粧格子の外縁を構成する左右の端縦桟間にある中間縦桟には、横桟構成体を構成する棒状部材の通し孔が形成されており、
横桟構成体は、前記棒状部材と、間隔形成部材とから構成されていると共に、この間隔形成部材には棒状部材における隣り合う縦桟間に位置される箇所を納める凹部が形成されており、
棒状部材は、棒材と、ナット体を備えた雌具とボルト体を備えた雄具とからなる締め込み具とを有しており、この締め込み具により左右の端縦桟の少なくとも一方と棒材とを、この左右の端縦桟間の距離可変にネジ止めさせてなることを特徴とする化粧格子。
【請求項２】
棒状部材を構成する棒材の外面の少なくとも一部と間隔形成部材の凹部の内面の少なくとも一部とが面的に接し合うようになっていることを特徴とする請求項１に記載の化粧格子。
【発明の詳細な説明】
【技術分野】
【０００１】
この発明は、住宅の内装材として用いられる化粧格子に関する。
【背景技術】
【０００２】
住宅の内装材として用いられる化粧格子は、縦桟と横桟とを持つように、複数の材を組み合わせることで構成されている。
【０００３】
典型的には従来は、縦桟１００と横桟２００とを相欠により組み合わせることにより、（図１１）また、縦桟１００に形成させたホゾ穴１０１を利用して各縦桟１００間に横桟２００となる材２０１を介装させることにより、（図１２）化粧格子を構成させていた。しかし、前者の手法では、適切に化粧格子を構成させるためには相当の加工精度を要し、建築現場で仕上げることは容易ではない。また、化粧格子に表裏を生じさせるものであった。一方、後者の手法でも相当の加工精度を要すると共に、組み立て手間を要し、やはり建築現場で化粧格子を仕上げることは容易ではない。こうした現場において化粧格子を支障なく仕上げることができれば、現場には化粧格子の材料を単純に搬送すれば済むことともなる。
【発明の概要】
【発明が解決しようとする課題】
【０００４】
この発明が解決しようとする主たる問題点は、この種の化粧格子を、容易かつ適切に構成できるようにする点にある。
【課題を解決するための手段】
【０００５】
前記課題を達成するために、この発明にあっては、化粧格子を、以下の（１）〜（４）の構成を備えたものとした。
（１）複数の縦桟と、
一以上の横桟構成体とを備えてなる化粧格子であって、
（２）化粧格子の外縁を構成する左右の端縦桟間にある中間縦桟には、横桟構成体を構成する棒状部材の通し孔が形成されており、
（３）横桟構成体は、前記棒状部材と、間隔形成部材とから構成されていると共に、この間隔形成部材には棒状部材における隣り合う縦桟間に位置される箇所を納める凹部が形成されており、
（４）棒状部材は、棒材と、ナット体を備えた雌具とボルト体を備えた雄具とからなる締め込み具とを有しており、この締め込み具により左右の端縦桟の少なくとも一方と棒材とを、この左右の端縦桟間の距離可変にネジ止めさせてなる。
【０００６】
中間縦桟の通し孔に横桟構成体を構成する棒状部材を通すと共に、この棒状部材の端部を端縦桟に接続させた状態から、前記締め込み具を構成する雌具のナット体を操作することで、雄具のボルト体を左右の端縦桟間の距離を狭める向きに螺進させることができる。すなわち、一方の端縦桟に対し他方の端縦桟を引き寄せることができる。これにより、各縦桟間に配される間隔形成部材と縦桟とを密着させて各縦桟間に間隔形成部材の寸法分の所期の隙間を正確に形成させることができ、所望の化粧格子を容易に構成させることができる。また、各縦桟に反りなどがある場合でも、かかる締め込み具の操作によりこうした反りなどを矯正して、適切な化粧格子を形成させることができる。また、こうした反りなどが事後的に生じた場合でも、かかる締め込み具の操作によりこれを矯正することもできる。
【０００７】
前記横桟構成体の棒状部材を構成する棒材の外面の少なくとも一部と間隔形成部材の凹部の内面の少なくとも一部とが面的に接し合うようにしておけば、棒材を介して棒状部材に対する間隔形成部材の組み合わせ状態を安定的に維持させることができる。
【発明の効果】
【０００８】
この発明によれば、縦桟と横桟構成体とを組み合わせた状態から、横桟構成体を構成する棒状部材の締め込み具を操作することで、各縦桟間に所期の間隔を備えた化粧格子を容易かつ適切に構成させることができる。これにより建築現場において化粧格子を支障なく仕上げることも可能となる。また、構成される化粧格子には表裏がないようにすることができ、設置の向きなどに格別の配慮を生じさせない特長を有する。
【図面の簡単な説明】
【０００９】
【図１】図１は化粧格子の正面図である。
【図２】図２は図１におけるＡ−Ａ線位置での断面図である。
【図３】図３は図１におけるＢ−Ｂ線位置での断面図である。
【図４】図４は化粧格子における上下方向中央位置での断面図である。
【図５】図５は図４の左側の拡大図である。
【図６】図６は縦桟と横桟構成体を構成する間隔形成部材と棒材とを分離させた状態で示した斜視図である。
【図７】図７は縦桟と横桟構成体の棒状部材を構成する棒材と締め込み具とを分離させた状態で示した斜視図である。
【図８】図８は締め込み具の構成の一部を変更した一例を示した断面図である。
【図９】図９は締め込み具の構成の一部を変更した他の一例を示した断面図である。
【図１０】図１０は化粧部材の構成図である。
【図１１】図１１は従来例を示した斜視図である。
【図１２】図１２は別の従来例を示した斜視図である。
【発明を実施するための形態】
【００１０】
以下、図１〜図１０に基づいて、この発明の典型的な実施の形態について、説明する。
【００１１】
この実施の形態にかかる化粧格子Ｌは、住宅の内装材として用いられるものである。かかる化粧格子Ｌは、複数の縦桟１、１…と、横桟２を構成する一以上の横桟構成体２’とを備えてなる。横桟構成体２’はさらに、棒状部材２０と間隔形成部材２１とから構成されている。図示の例では、かかる化粧格子Ｌはさらに、上桟３と下桟４とを備えている。各桟１、２、３、４は、木材又は木質材から構成されている。
【００１２】
複数の縦桟１、１…はそれぞれ、上下方向に長い材から構成される。図示の例ではかかる縦桟１は角材により構成されている。各角材は、略同寸同形に構成されている。各角材は、化粧格子Ｌの左右方向ｘにおける寸法に対し、化粧格子Ｌの前後方向ｙにおける寸法を大きくするように構成されて、幅広の側面１０と幅狭の側面１１とを有している。各縦桟１間には、後述する間隔形成部材２１により、左右方向ｘに略等しい間隔が形成されている。図示の例では、化粧格子Ｌは、建物の開口部Ｏ内に備えられるようになっており、複数の縦桟１、１…のうち、化粧格子Ｌの外縁を構成する左側の端縦桟１’と左側の開口縁、および、化粧格子Ｌの外縁を構成する右側の端縦桟１’と右側の開口縁との間には、かかる左右の端縦桟１’間に位置される隣り合う中間縦桟１”間の間隔よりもやや広い間隔が形成されている。
【００１３】
また、図示の例では、化粧格子Ｌは、上桟３と下桟４とを備えている。図示の例では、下桟４は、前記開口部Ｏの幅方向（左右方向ｘ）に亘る長さを有し、この開口部Ｏ内において床Ｆに固定されると共に、各縦桟１の下端に組み合わされる。図示の例では、各縦桟１には、その下端に、下桟４の上部を納める凹所１２が形成されている。また、各縦桟１のこの凹所１２の内奥部にはダボの上端側を納めるダボ用穴１３が形成されている。（図３）また、下桟４にはその下面と上面とに亘る貫通穴４０が形成されている。図示の例では、下桟４と各縦桟１とは、前記凹所１２に下桟４の上部を納めると共に、前記貫通穴４０に入れ込ませたダボＤを縦桟１のダボ用穴１３に入れ込ませて、組み合わされている。また、下桟４と床Ｆとは、縦断面Ｌ字状をなすアングル材Ｅを介して固着されるようになっている。すなわち、かかるアングル材Ｅの屈曲部を挟んだ一方側を床Ｆ側に止着させると共に、この一方側上に載置された下桟４の下部側の側面とアングル材Ｅの屈曲部を挟んだ他方側とを止着させることにより、化粧格子Ｌの下部側を床Ｆに固定するようにしている。図中符号５で示されるのは、縦桟１と床Ｆとの間において、下桟４の下部に両面粘着テープなどにより貼り付けられてこの下桟４の下部を化粧するプレートであり、このプレート５によりアングル材Ｅが隠されるようになっている。
【００１４】
また、図示の例では、上桟３も、前記開口部Ｏの幅方向に亘る長さを有し、この開口部Ｏ内において天井Ｒに固定されると共に、各縦桟１の上端に組み合わされる。図示の例では、各縦桟１には、その上端に、上桟３の下部を納める凹所１４が形成されている。また、各縦桟１のこの凹所１４の内奥部にはダボＤの下端側を納めるダボ用穴１５が形成されている。また、上桟３にはその上面と下面とに亘る貫通穴３０が形成されている。図示の例では、上桟３と各縦桟１とは、前記凹所１４に上桟３の下部を納めると共に、前記貫通穴３０に入れ込ませたダボＤを縦桟１のダボ用穴１５に入れ込ませて、組み合わされている。また、上桟３と天井Ｒとは、縦断面Ｌ字状をなすアングル材Ｅを介して固着されるようになっている。すなわち、かかるアングル材Ｅの屈曲部を挟んだ一方側を天井Ｒ側に止着させると共に、この一方側下に位置される上桟３の上部側の側面とアングル材Ｅの屈曲部を挟んだ他方側とを止着させることにより、化粧格子Ｌの上部側を天井Ｒに固定するようにしている。図中符号６で示されるのは、縦桟１と天井Ｒとの間において、上桟３の上部に両面粘着テープなどにより貼り付けられてこの上桟３の上部を化粧するプレートであり、このプレート６により上桟３と天井Ｒとの間の隙間と、かかるアングル材Ｅとが見栄え良く隠されるようになっている。
【００１５】
また、前記中間縦桟１”にはそれぞれ、横桟構成体２’を構成する棒材２０１の通し孔１６が形成されている。図示の例では、各中間縦桟１”においてそれぞれ、その上下方向略中程の位置に、かかる通し孔１６が形成されている。かかる通し孔１６は、中間縦桟１”の幅広の両面間に亘って左右にこの中間縦桟１”を貫通した穴であり、また、中間縦桟１”の前後方向ｙ略中程の位置に形成されている。図示の例では、かかる通し孔１６は、その孔形状を、長径方向を上下方向に沿わせた小判形状としている。
【００１６】
横桟構成体２’は、棒状部材２０と、間隔形成部材２１とから構成されている。かかる横桟構成体２’によって、化粧格子Ｌにおける上桟３と下桟４との間に、図示の例では一つの横桟２が形成されている。かかる上桟３と下桟４との間に二つ以上の横桟２を形成させる場合には、この横桟２に対応した数の前記通し孔１６を縦桟１に形成させると共に、この数に対応した横桟構成体２’が用意されることとなる。
【００１７】
横桟構成体２’を構成する棒状部材２０は、前記棒材２０１と、ナット体２０２ａを備えた雌具２０２とボルト体２０３ａを備えた雄具２０３とからなる締め込み具とから構成されている。かかる棒材２０１は、左右の端縦桟１’、１’間の寸法よりもやや短い長さを有し、かかる締め込み具を介してその端部を端縦桟１’に組み付けられるようになっている。（図４）かかる棒材２０１は、縦桟１の通し孔１６の長径よりも上下の太さを小さくすると共に、この通し孔１６における長径側の孔内面１６ａに接する縦向きの面２０１ａを前後に備えている。かかる棒材２０１は、二以上の短い材を接ぎ合わせて所望の長さを持つように構成させておくこともできる。図示の例では、棒材２０１の縦向きの面２０１ａの一方にはこの棒材２０１の長さ方向に亘って溝底を平坦にした溝２０１ｃが形成されており、後述する締め込み具を構成する雄具２０３のベース２０３ｂにおける屈曲部を挟んだ他方側２０３ｄがこの溝２０１ｃに納まって棒材２０１に雄具２０３が止着されるようになっている。
【００１８】
一方、間隔形成部材２１には、かかる棒状部材２０における隣り合う縦桟１、１間に位置される箇所を納める凹部２１１が形成されている。すなわち、かかる間隔形成部材２１は、隣り合う縦桟１、１の一方の幅広の側面１０に接する側面部２１２と、隣り合う縦桟１、１の他方の幅広の側面１０に接する側面部２１２と、かかる凹部２１１とを有している。かかる間隔形成部材２１の両側面部２１２、２１２間の寸法、つまり、間隔形成部材２１の左右方向ｘの寸法を変えることで、化粧格子Ｌの縦桟１間の間隔を変えることができる。図示の例では、各間隔形成部材２１はその左右方向ｘの寸法を略等しくさせているが、この左右方向ｘの寸法を異ならせる二種以上の間隔形成部材２１を用いて化粧格子Ｌを構成させるようにすれば、縦桟１間の間隔を一様にさせない化粧格子Ｌを構成させることができる。
【００１９】
図示の例では、かかる間隔形成部材２１は、上面部と下面部、前面部と後面部、および左右側面部２１２、２１２を備えた六面体に、その下面部から上方に凹み込み、かつ、左右側面部２１２、２１２においてそれぞれ開放された溝状をなす前記凹部２１１を形成させてなる。かかる凹部２１１の前後内壁２１１ａ、２１１ａは縦向きの面を有すると共に、この前後内壁２１１ａ、２１１ａ間の寸法を前記棒材２０１の前後の縦向きの面２０１ａ、２０１ａ間の寸法と略等しくさせている。そして、かかる間隔形成部材２１は、かかる棒材２０１における隣り合う縦桟１、１間に位置される箇所を、この棒材２０１の縦向きの面２０１ａが凹部２１１の内壁２１１ａに面的に接し、かつ、この棒材２０１の縦向きの面２０１ａ間に亘る横向きの上面２０１ｂが凹部２１１の内奥部２１１ｂに接するように、かかる凹部２１１にはめ込み状に納めることで、この棒材２０１と組み合わされて横桟２を形作っている。（図２）すなわち、この実施の形態にあっては、横桟構成体２’を構成する棒材２０１の外面の少なくとも一部と間隔形成部材２１の凹部２１１の内面の少なくとも一部とが面的に接し合うようになっており、棒材２０１を介して棒状部材２０に対する間隔形成部材２１の組み合わせ状態が安定的に維持されるようになっている。
【００２０】
前記棒状部材２０における隣り合う縦桟１、１間に位置される箇所に間隔形成部材２１を組み合わせた後に、この間隔形成部材２１の外側をさらに化粧部材７で覆うようにすれば、間隔形成部材２１の前記凹部２１１を隠すことができる。かかる化粧部材７としては、図１０に示されるように、間隔形成部材２１の前面部と上面部と後面部の外側をそれぞれ覆う三つの板体７０…７０にヒンジ部７１を介して間隔形成部材２１の下面部を覆う蓋板体７２を連接させてなる構成のものを用いることができる。ヒンジ部７１は一枚の化粧シート７３をコ字状に組み合わされた三つの板体７０…７０の外面と蓋板体７２の外面とに貼着させることで形成されている。この例では、かかる化粧部材７の組み合わされた三つの板体７０…７０の内側に間隔形成部材２１を収め入れた後、蓋板体７２によりこの三つの板体７０…７０の開放箇所７４を塞いでこの蓋板体７２のヒンジ７１部側と反対の端部をこの三つの板体７０…７０側に止着させることで、間隔形成部材２１の外面の全体を化粧部材７で覆うようにしてある。
【００２１】
締め込み具は、ナット体２０２ａを備えた雌具２０２とボルト体２０３ａを備えた雄具２０３とから構成されている。この締め込み具により左右の端縦桟１’、１’の少なくとも一方と前記横桟構成体２’を構成する棒材２０１とを、この左右の端縦桟１’、１’間の距離可変にネジ止めさせている。図示の例では、かかる棒材２０１と左右の端縦桟１’、１’の双方をかかる締め込み具によりネジ止めさせている。
【００２２】
雌具２０２は、縦方向に延びる一対の縦板部２０２ｅ、２０２ｅの下端間を横板部２０２ｆで連接させてなるベース２０２ｄを備えている。このベース２０２ｄにおける縦板部２０２ｅの一方にはネジＳの通し孔２０２ｇが形成されており、この通し孔１６を通じてネジＳを端縦桟１’の幅広の側面１０に打ち込むことで雌具２０２は端縦桟１’に取り付けられるようになっている。また、ベース２０２ｄにおける縦板部２０２ｅの他方には、ナット体２０２ａが回動可能に支持されている。かかるナット体２０２ａは、外形を六角柱状とする主体部２０２ｂと、この主体部２０２ｂの一方の端面に筒一端を一体に連接させた延長筒部２０２ｃとを備えている、主体部２０２ｂの雌ネジ孔に延長筒部２０２ｃの内部は連通しており、延長筒部２０２ｃの筒他端を通じて主体部２０２ｂ内に前記ボルト体２０３ａが入り込むようになっている。ベース２０２ｄにおける縦板部２０２ｅの他方には、左右方向ｘにこの縦板部２０２ｅを貫通した軸孔２０２ｈが形成されている。ナット体２０２ａは、前記延長筒部２０２ｃをベース２０２ｄの内側からこの軸孔２０２ｈに入れ込むと共に、その筒他端をカシメてこの軸孔２０２ｈから抜け出さないようにすることで、ベース２０２ｄに回動可能に組み合わされている。
【００２３】
雄具２０３は、Ｌ字状をなすように屈曲された板体よりなるベース２０３ｂを有している。このベース２０３ｂの屈曲部を挟んだ一方側２０３ｃの外面（屈曲外側の面）にボルト体２０３ａの一端が接合されている。かかるベース２０３ｂの屈曲部を挟んだ他方側２０３ｄにはネジＳの通し孔２０３ｅが形成されており、前記一方側２０３ｃの内面に前記棒材２０１の端部を突き当てさせ、かつ、他方側２０３ｄをこの棒材２０１の前記溝２０１ｃに納めた状態で、この通し孔２０３ｅを通じてネジＳを棒材２０１に打ち込むことで雄具２０３は棒材２０１の端部に取り付けられるようになっている。
【００２４】
かかる雌具２０２は、端縦桟１’とこれに隣り合う中間縦桟１”との間に介装される間隔形成部材２１の凹部２１１内に納まる大きさに構成され、また、雄具２０３は棒材２０１の端部に取り付けられた状態でこの棒材２０１の中間縦桟１”の通し孔１６の通過を妨げない大きさに構成されている。
【００２５】
中間縦桟１”の通し孔１６に横桟構成体２’を構成する棒状部材２０を通すと共に、この棒状部材２０の端部を端縦桟１’に接続させた状態から、前記締め込み具を構成する雌具２０２のナット体２０２ａを操作することで、雄具２０３のボルト体２０３ａを左右の端縦桟１’、１’間の距離を狭める向きに螺進させることができる。すなわち、一方の端縦桟１’に対し他方の端縦桟１’を引き寄せることができる。これにより、各縦桟１間に配される間隔形成部材２１と縦桟１とを密着させて各縦桟１間に間隔形成部材２１の寸法分の所期の隙間を正確に形成させることができ、所望の化粧格子Ｌを容易に構成させることができる。また、各縦桟１に反りなどがある場合でも、かかる締め込み具の操作によりこうした反りなどを矯正して、適切な化粧格子Ｌを形成させることができる。また、こうした反りなどが事後的に生じた場合でも、かかる締め込み具の操作によりこれを矯正することもできる。
【００２６】
図示の例では、端縦桟１’とこれに隣り合う中間縦桟１”との間に介装される間隔形成部材２１は、締め込み具の操作終了まではこの操作を妨げない位置において端縦桟１’とこれに隣り合う中間縦桟１”との間にセットしておき、この操作終了後に締め込み具を凹部２１１内に納めてこれを覆い隠す所定位置まで端縦桟１’とこれに隣り合う中間縦桟１”との間をスライド移動させるようにする。
【００２７】
図８に示されるように、締め込み具を構成する雌具２０２の縦板部２０２ｅの一方に形成させた通し孔２０２ｇを、縦板部２０２ｅの他方に備えられたナット体２０２ａの中心線上に位置されるようにして、このナット体２０２ａ内に図８の右側から通される工具により前記通し孔２０２ｇを通じて端縦桟１’にネジＳを打ち込むようにすることもできる。このようにした場合、かかる雌具２０２のナット体２０２ａにこの後にネジ付けられる雄具２０３のボルト体２０３ａと前記ネジＳとを同一線上に位置させることができることから、横桟構成体２’と端縦桟１’とを強固に組み合わせることができる。また、この図８に示される例では、この雌具２０２の縦板部２０２ｅの一方側を納める凹所１７を端縦桟１’に形成させており、端縦桟１’に対する締め込み具の固定位置合わせの容易化が図られている。
【００２８】
図９に示されるように、締め込み具を構成する雌具２０２のベース２０３ｂの横板部２０２ｆに下方からドライバーなどの工具により操作可能な回転体２０３ｆを備えさせると共に、この回転体２０３ｆとナット体２０２ａとにこの回転体２０３ｆの回転によりナット体２０２ａを回動させるように噛み合うギヤ部２０３ｇを形成させるようにすれば、間隔形成部材２１の凹部２１１内に締め込み具を納めさせた状態でその操作をなすことが可能となる。
【符号の説明】
【００２９】
Ｌ  化粧格子
１  縦桟
１’  端縦桟
１”  中間縦桟
２’  横桟構成体
２０  棒状部材
２０１  棒材
２０２  雌具
２０２ａ  ナット体
２０３  雄具
２０３ａ  ボルト体
２１  間隔形成部材
【図１】
2010242455.tif 000003
【図２】
2010242455.tif 000004
【図３】
2010242455.tif 000005
【図４】
2010242455.tif 000006
【図５】
2010242455.tif 000007
【図６】
2010242455.tif 000008
【図７】
2010242455.tif 000009
【図８】
2010242455.tif 000010
【図９】
2010242455.tif 000011
【図１０】
2010242455.tif 000012
【図１１】
2010242455.tif 000013
【図１２】
2010242455.tif 000014